(57)【要約】【課題】従来から、バーコード等を利用して、食品の在庫状況の管理を行う冷蔵庫は存在する。しかし、食品を貯蔵するのか、あるいは、取り出すのかは利用者による入力が必要である。また、この場合には、食品などの識別はできても、その残量などを正確に認識することはできなかった。【解決手段】本発明は、かかる実情に鑑み、自動的に庫内の収納物を撮影する冷蔵庫を提供する。利用者は、撮影された庫内の様子を見ることで、貯蔵されている食品を簡単に確認することができる。このときＸ線によれば、手前の食品を透過するので奥に貯蔵された食品も的確に認識できる。さらに、撮影は冷蔵庫の扉の閉動を検知することにより行われ、冷蔵庫内の変化を確実に撮影できる。加えて、Ｘ線は、食品に繁殖する有害な菌を死滅させる効果があるため、食中毒の予防にも効果を有する。【選択図】            図５
2004286355.tif 000002
【特許請求の範囲】
【請求項１】
庫内の収納物を撮影可能な撮影部を有する冷蔵庫であって、
収納扉の閉動を検知する収納扉閉動検知部と、
前記撮影部に庫内の収納物を撮影するためのカメラ撮影手段と、を有し、
前記カメラ撮影手段は、前記収納扉閉動検知部が収納扉の閉動を検知した場合に、
前記撮影を行う冷蔵庫。
【請求項２】
庫内の収納物をＸ線にて透過撮影可能なＸ線撮影部を有する冷蔵庫。
【請求項３】
収納扉の閉動を検知する収納扉閉動検知部と、
前記Ｘ線撮影部にＸ線照射手段と、をさらに有し、
前記Ｘ線照射手段は、前記収納扉閉動検知部が収納扉の閉動を検知した場合に、
前記Ｘ線を照射する請求項２に記載の冷蔵庫。
【請求項４】
前記Ｘ線照射手段が、Ｘ線を照射する時間内に収納扉を閉じたままにして開くことを禁止する収納扉開動禁止部をさらに有する請求項３に記載の冷蔵庫。
【請求項５】
前記Ｘ線撮影部にて撮影されたＸ線像を取得するＸ線像取得部と、
前記Ｘ線像取得部にて取得されたＸ線像を出力するＸ線像出力部とをさらに有する請求項２から４のいずれか一に記載の冷蔵庫。
【請求項６】
前記Ｘ線照射手段から照射されるＸ線は、食品に繁殖する有害菌を死滅させる強度である請求項２から５のいずれか一に記載の冷蔵庫。
【請求項７】
前記有害菌は、Ｏ−１５７菌又は、腐敗菌である請求項６に記載の冷蔵庫。
【発明の詳細な説明】
【０００１】
【発明の属する技術分野】
本発明は、冷蔵庫に関するものである。
【０００２】
【従来の技術】
従来から、冷蔵庫に食品を貯蔵する際に、バーコードリーダー等を利用して、食品のパッケージ等に付されたバーコードを読み取り、食品の在庫状況の管理を行う機能を有する冷蔵庫は存在する（特許文献１参照）。
【０００３】
【特許文献１】
特開２００２−４９７４３号公報
【０００４】
【発明が解決しようとする課題】
しかしながら、バーコードで特定される食品を冷蔵庫に貯蔵するのか、あるいは、冷蔵庫から取り出すのかは利用者による入力が必要とされる。
【０００５】
また、バーコードの場合には、比較的簡単に食品などの識別はできるが、食品の減り具合などを正確に認識することはできなかった。つまり、調理後の器に盛られた惣菜や、食べかけの食料の残量については、バーコードにて識別することは困難であり、利用者が逐一入力を行うことは煩雑である。
【０００６】
【課題を解決するための手段】
本発明は、かかる実情に鑑み、自動的に庫内の収納物を撮影する冷蔵庫を提供しようとするものである。利用者は、撮影された冷蔵庫内の様子を見ることにより、貯蔵されている食品を簡単に確認することが可能となる。
【０００７】
また、Ｘ線によれば、庫内の奥に貯蔵された食品でも、手前の食品を透過して映し出されるため、食品の認識において特段問題は生じない。
【０００８】
また、撮影は冷蔵庫の扉の閉動を検知することにより行われるため、冷蔵庫内の様子に変化が生じる可能性のある場合を、確実に撮影することができる。さらに、Ｘ線による撮影を行う場合には、利用者がＸ線を浴びることのないよう、Ｘ線を照射する時間内には、扉が開かないようにする。
【０００９】
加えて、Ｘ線は、食品に繁殖する有害な菌を死滅させる効果があるため、冷蔵庫内の食品の在庫管理のみならず、食中毒の予防にも活用できる。
【００１０】
【発明の実施の形態】
以下に、本発明の実施の形態を説明する。なお、本発明はこれら実施の形態に何ら限定されるものではなく、その要旨を逸脱しない範囲において、種々なる態様で実施しうる。
【００１１】
実施形態１は、主に請求項１などについて説明する。
【００１２】
実施形態２は、主に請求項２などについて説明する。
【００１３】
実施形態３は、主に請求項３などについて説明する。
【００１４】
実施形態４は、主に請求項４などについて説明する。
【００１５】
実施形態５は、主に請求項５などについて説明する。
【００１６】
実施形態６は、主に請求項６などについて説明する。
【００１７】
実施形態７は、主に請求項７などについて説明する。
＜＜実施形態１＞＞
【００１８】
＜実施形態１：概要＞
【００１９】
実施形態１について説明する。
【００２０】
図１は、本実施形態の概念の一例を示すものである。図には、本発明の冷蔵庫と、その冷蔵庫内部を撮影した映像のイメージを示す。冷蔵庫内には、様々な収納物が貯蔵されているが、そのすべての品目を、どこに貯蔵したのかを認識しておくことは困難である。図に示したように、冷蔵庫内部を撮影した映像においては、収納物が現され、それぞれの収納物の種類と、数とを判別することができる。これにより、利用者は、何をどこに貯蔵したのかを冷蔵庫を開くことなく把握することができる。
【００２１】
＜実施形態１：構成＞
【００２２】
本実施形態での機能ブロックの一例を図２に示した。
【００２３】
図２に示す本実施形態の「冷蔵庫」（０２００）は、「撮影部」（０２０１）と、「収納扉閉動検知部」（０２０２）とからなり、撮影部（０２０１）は「カメラ撮影手段」（０２０３）を有する。
【００２４】
「撮影部」（０２０１）は、庫内の収納物を撮影可能とする。「庫内」は、冷蔵庫内部をさし、冷蔵室、冷凍室、野菜室等を広く含む場合がある。「収納物」は、冷蔵庫の内部に貯蔵されている物品であり、食品以外のものも広く含む場合がある。
【００２５】
「収納扉閉動検知部」（０２０２）は、収納扉の閉動を検知する。「収納扉」は、収納物を出し入れするために開閉するドアをいう。野菜室等のような引き出し状になった貯蔵スペースに対しては、その引き出し部分が収納扉に該当する。
【００２６】
収納扉には、開いている状態と、閉まっている状態がある。ここで、「閉動」とは、開いている状態から、閉まった状態へ遷移した動きをいう。収納扉に開閉を判断するセンサーを備えつけておき、収納扉が閉じることにより、次のカメラ撮影手段（０２０３）へ収納扉の閉動を伝える。
【００２７】
「カメラ撮影手段」（０２０３）は、前記収納扉閉動検知部（０２０２）が収納扉の閉動を検知した場合に、前記撮影を行う。また、撮影は、フィルムを使う銀塩カメラ、デジタルカメラ、ビデオカメラなどにより行われる。ここで撮影を行うタイミングを、収納扉の閉動を検知した場合に限ることで、収納扉の開閉により、冷蔵庫内の収納物の出し入れがあったことが予測されるからである。撮影は、収納扉の閉動が検知された収納スペース部分のみ行うとしてもよい。
【００２８】
＜実施形態１：処理の流れ＞
【００２９】
図３は、実施形態１での処理の流れの一例を示したものである。本実施形態の冷蔵庫における撮影方法は、以下に示すステップよりなる。
【００３０】
まず、収納扉の状態を検知する（収納扉状態検知ステップ  Ｓ０３０１）。
【００３１】
次に、収納扉状態検知ステップ（Ｓ０３０１）による検知結果が、収納扉が閉動したとの検知結果であるか判断する（検知結果判断ステップ  Ｓ０３０２）。ここで、収納扉が閉動したとの検知結果でない場合には、収納扉状態検知ステップ（Ｓ０３０１）を繰り返す。
【００３２】
さらに、収納扉状態検知ステップ（Ｓ０３０１）による検知結果が、収納扉が閉動したとの検知結果である場合には、庫内の収納物を撮影する（Ｘ線撮影ステップ  Ｓ０３０３）。
【００３３】
以上の処理は、計算機に実行させるためのプログラムで実行することができ、また、このプログラムを計算機によって読み取り可能な記録媒体に記録することができる。（本明細書の全体を通して同様である。）
【００３４】
＜実施形態１：効果＞
【００３５】
冷蔵庫内の収納物を撮影することで、冷蔵庫の扉を開けることなく、収納物の在庫状況の管理が可能となる。例えば、すでに冷蔵庫に貯蔵されている食品を重複して購入することや、必要な食品の買い忘れを防止することができる。
【００３６】
また、収納物の出し入れの際には、利用者に入力等の作業を要求することがないため、ミスや抜けが生じたり、利用者が煩雑さを感じたりすることもない。
【００３７】
さらに、どこに何を貯蔵したのかを、冷蔵庫の扉を開く前に認識しておくことができるため、収納物の出し入れをスムーズに行え、かつ、扉の開閉に伴う冷気の漏れを最小限にとどめることが可能となるという効果も有する。
【００３８】
冷蔵庫の収納扉の閉動を検知したときのみ内部の収納物を撮影することで、予測される収納物の出し入れに伴う、内部の様子の変化に即時に対応することが可能となり、効率がよいといえる。
＜＜実施形態２＞＞
【００３９】
＜実施形態２：概要＞
【００４０】
実施形態２について説明する。
【００４１】
図４は、本実施形態の概念の一例を示すものである。図には、本発明の冷蔵庫と、その冷蔵庫内部をＸ線にて撮影した映像のイメージを示す。図に示したように、冷蔵庫内部をＸ線にて撮影した映像においては、収納物の外形が現され、庫内の奥に貯蔵された食品でも、手前の食品を透過して映し出されている。例えば、最下段の野菜庫においては、複数種類の野菜が積み重ねられて貯蔵されているが、その外形によってそれぞれの種類と、数とを判別することができる。これにより、利用者は、何をどこに貯蔵したのかを冷蔵庫を開くことなく把握することができる。
【００４２】
＜実施形態２：構成＞
【００４３】
本実施形態での機能ブロックの一例を図５に示した。
【００４４】
図２に示す本実施形態の「冷蔵庫」（０５００）は、「Ｘ線撮影部」（０５０１）を有する。
【００４５】
「Ｘ線撮影部」（０５０１）は、庫内の収納物をＸ線にて透過撮影可能とする。「Ｘ線」とは、波長が０．００１〜１０ナノメートル程度の範囲の磁波をいう。Ｘ線は物質に対する透過力が強く、物質の密度によって濃淡の影を生じさせる。濃淡の影は、一般に密度の高い物質は白っぽく、密度の低い物質（空気など）は黒く映し出される。この性質を利用し、手前の物質が透過されることで、奥に収納した収納物であってもその存在を確認することができる。
【００４６】
＜実施形態２：効果＞
【００４７】
冷蔵庫内の収納物をＸ線により透過撮影することで、利用者の目が届きにくい、手前の収納物に遮られた奥の収納物も映し出すことができる。このとき収納物の種類だけでなく、映し出された映像からその残量（例えば、食べかけのチーズの残量）なども把握することが可能である。
＜＜実施形態３＞＞
【００４８】
＜実施形態３：概要＞
【００４９】
実施形態３について説明する。本実施形態は、収納扉の閉動を検知した場合に、Ｘ線を照射することに特徴を有する冷蔵庫である。
【００５０】
＜実施形態３：構成＞
【００５１】
本実施形態での機能ブロックの一例を図６に示した。
【００５２】
図６に示す本実施形態の「冷蔵庫」（０６００）は、「Ｘ線撮影部」（０６０１）と、さらに、「収納扉閉動検知部」（０６０２）とからなり、Ｘ線撮影部（０６０１）は「Ｘ線照射手段」（０６０３）を有する。
【００５３】
「収納扉閉動検知部」（０６０２）は、収納扉の閉動を検知する。収納扉に開閉を判断するセンサーを備えつけておき、収納扉が閉じることにより、次のＸ線照射手段（０６０３）へ収納扉の閉動を伝える。
【００５４】
「Ｘ線照射手段」（０６０３）は、収納扉閉動検知部（０６０２）が収納扉の閉動を検知した場合に、前記Ｘ線を照射する。ここでＸ線を照射するタイミングを収納扉の閉動を検知した場合に限るのは、収納扉の開閉により、冷蔵庫内の収納物の出し入れがあったことが予測されるからである。撮影は、収納扉の閉動が検知された収納スペース部分のみ行うとしてもよい。
【００５５】
＜実施形態３：処理の流れ＞
【００５６】
図７は、実施形態３での処理の流れの一例を示したものである。本実施形態の冷蔵庫におけるＸ線照射方法は、以下に示すステップよりなる。
【００５７】
まず、収納扉の状態を検知する（収納扉状態検知ステップ  Ｓ０７０１）。
【００５８】
次に、収納扉状態検知ステップ（Ｓ０７０１）による検知結果が、収納扉が閉動したとの検知結果であるか判断する（検知結果判断ステップ  Ｓ０７０２）。ここで、収納扉が閉動したとの検知結果でない場合には、収納扉状態検知ステップ（Ｓ０７０１）を繰り返す。
【００５９】
さらに、収納扉状態検知ステップ（Ｓ０７０１）による検知結果が、収納扉が閉動したとの検知結果である場合には、Ｘ線を照射し、庫内の収納物を撮影する（Ｘ線撮影ステップ  Ｓ０７０３）。
【００６０】
＜実施形態３：効果＞
【００６１】
冷蔵庫の収納扉の閉動を検知したときのみ内部の収納物を撮影することで、予測される収納物の出し入れに伴う、内部の様子の変化に即時に対応することが可能となる。また、利用者が撮影の指示を行うことなく、収納扉の開閉に応じて自動的に撮影が行われることで、撮影忘れが生じたり、利用者が煩雑さを感じたりすることもない。冷蔵庫の扉を開閉する時間は１日のうちでも限られているので、一定時間経過ごとに撮影を行うよりも、効率がよいといえる。
＜＜実施形態４＞＞
【００６２】
＜実施形態４：概要＞
【００６３】
実施形態４について説明する。本実施形態は、Ｘ線を照射する時間内に収納扉を閉じたままにして開くことを禁止することに特徴を有する冷蔵庫である。
【００６４】
＜実施形態４：構成＞
【００６５】
本実施形態での機能ブロックの一例を図８に示した。
【００６６】
図８に示す本実施形態の「冷蔵庫」（０８００）は、「Ｘ線撮影部」（０８０１）（「Ｘ線照射手段」（０８０３）を有する）と、「収納扉閉動検知部」（０８０２）と、さらに、「収納扉開動禁止部」（０８０４）とからなる。
【００６７】
「収納扉開動禁止部」（０８０４）は、前記Ｘ線照射手段（０８０３）が、Ｘ線を照射する時間内に収納扉を閉じたままにして開くことを禁止する。Ｘ線を照射する時間としては数秒間程度であるが、収納扉をロックし利用者が収納扉を開くことができないようにする。これは、利用者がＸ線により被曝する危険性を排除するためである。また、収納扉がロックされる時間は短時間であるので、利用者が特段不便を感じることもないといえる。
【００６８】
＜実施形態４：処理の流れ＞
【００６９】
図９は、実施形態４での処理の流れの一例を示したものである。本実施形態の冷蔵庫におけるＸ線照射方法は、以下に示すステップよりなる。
【００７０】
まず、収納扉の状態を検知する（収納扉状態検知ステップ  Ｓ０９０１）。
【００７１】
次に、収納扉状態検知ステップ（Ｓ０９０１）による検知結果が、収納扉が閉動したとの検知結果であるか判断する（検知結果判断ステップ  Ｓ０９０２）。ここで、収納扉が閉動したとの検知結果でない場合には、収納扉状態検知ステップ（Ｓ０９０１）を繰り返す。
【００７２】
さらに、収納扉状態検知ステップ（Ｓ０９０１）による検知結果が、収納扉が閉動したとの検知結果である場合には、収納扉を閉じたままにして開くことを禁止（ロック）する（収納扉閉動禁止ステップ  Ｓ０９０３）。
【００７３】
その後、Ｘ線を照射し、庫内の収納物を撮影する（Ｘ線撮影ステップ  Ｓ０９０４）。
【００７４】
最後に、収納扉閉動禁止ステップ（Ｓ０９０３）にて禁止した収納扉のロックを解除する（収納扉閉動許可ステップ  Ｓ０９０５）。
【００７５】
＜実施形態４：効果＞
【００７６】
冷蔵庫の収納扉の閉動を検知後、内部の収納物を撮影するためにＸ線を照射する時間内に、収納扉をロックし利用者が収納扉を開くことができないようにすることで、利用者がＸ線により被曝する危険性を排除する。これにより、利用者は安心して冷蔵庫を利用することができる。
＜＜実施形態５＞＞
【００７７】
＜実施形態５：概要＞
【００７８】
実施形態５について説明する。本実施形態は、Ｘ線にて撮影したＸ線像を出力することに特徴を有する冷蔵庫である。
【００７９】
＜実施形態５：構成＞
【００８０】
本実施形態での機能ブロックの一例を図１０に示した。ここでは、実施形態１の冷蔵庫を基本とした。
【００８１】
図１０に示す本実施形態の「冷蔵庫」（１０００）は、「Ｘ線撮影部」（１００１）と、さらに、「Ｘ線像取得部」（１００２）と、「Ｘ線像出力部」（１００３）とからなる。
【００８２】
「Ｘ線像取得部」（１００２）は、Ｘ線撮影部（１００１）にて撮影されたＸ線像を取得する。取得は、短時間に複数回の撮影が行われた場合には、最新のＸ線像を選択して取得が行われるとしてもよい。例えば、夕方に頻繁に収納扉の開閉が行われ、６時５分から１５分までの１０分間は、毎分ごとに撮影が行われているとすれば、最後に撮影された６時１５分のＸ線像を取得するこが該当する。
【００８３】
「Ｘ線像出力部」（１００３）は、Ｘ線像取得部（１００２）にて取得されたＸ線像を出力する。出力は、冷蔵庫の前面などに備えられた画面に表示される場合や、Ｘ線像がプリントアウトされて出力されるとしてもよい。Ｘ線像が画面に表示される場合には、冷蔵庫を開く前に内部の様子を確認して目標の収納物を定めてから扉を開くことができる。また、Ｘ線像がプリントアウトされて、手元で確認することができる場合には、例えば、買い物に行く際に持っていくことで、重複して商品を購入することを防ぐことができる。
【００８４】
また、携帯電話等に対して、通信手段を用いてＸ線像の出力を行う場合なども含まれるとしてもよい。利用者は、外出先で携帯電話に出力されたＸ線像を確認して、商品購入の際に有効に活用することができる。
【００８５】
＜実施形態５：処理の流れ＞
【００８６】
図１１は、実施形態５での処理の流れの一例を示したものである。本実施形態の冷蔵庫におけるＸ線照射方法は、以下に示すステップよりなる。
【００８７】
まず、Ｘ線にて、庫内の収納物を撮影する（Ｘ線撮影ステップ  Ｓ１１０１）。
【００８８】
次に、Ｘ線撮影ステップ（Ｓ１１０１）にて撮影されたＸ線像を取得する（Ｘ線像取得ステップ  Ｓ１１０２）。
【００８９】
最後に、Ｘ線像取得ステップ（Ｓ１１０２）にて取得されたＸ線像を出力する（Ｘ線像出力ステップ  Ｓ１１０３）。
【００９０】
＜実施形態５：効果＞
【００９１】
撮影後に、Ｘ線像を出力し、冷蔵庫内の収納物の確認を行うことができる。ここで、Ｘ線像が画面に表示される場合には、冷蔵庫を開く前に内部の様子を確認して目標の収納物を定めてから扉を開くことができ、冷蔵庫内の冷気の漏れを最小限に抑えることができる。また、Ｘ線像をプリントアウトしたり、携帯電話などを用いたりして、手元で確認することができる場合には、買い物に行く際に持っていくことで、重複して商品を購入することを防ぐことができ、便利である。
【００９２】
また例えば、中身が外から見えないパック入り牛乳などは、持ち上げる等して重さからその残量を推し量ることが一般的に行われているが、Ｘ線像によれば収納物の残量も認識できるので、買い足す必要があるかどうかの判断も簡単に行うことができる。
＜＜実施形態６、７＞＞
【００９３】
＜実施形態６、７：概要＞
【００９４】
実施形態６と、７について説明する。本実施形態は、Ｘ線が、食品に繁殖する有害菌、腐敗菌を死滅させる強度であることに特徴を有する冷蔵庫である。
【００９５】
＜実施形態６、７：構成＞
【００９６】
本実施形態での機能ブロックの一例はすでに、図６に示したものと同様である。ここでは、実施形態３の冷蔵庫を基本とした。
【００９７】
図６に示す「冷蔵庫」（０６００）は、「Ｘ線撮影部」（０６０１）と、さらに、「収納扉閉動検知部」（０６０２）とからなり、Ｘ線撮影部（０６０１）は「Ｘ線照射手段」（０６０３）を有する。
【００９８】
＜実施形態６：具体例＞
【００９９】
Ｘ線照射手段（０６０３）から照射されるＸ線は、食品に繁殖する有害菌を死滅させる強度である。有害菌とは、公衆の衛生を害し、人の健康を損ねるような有害な細菌をいう。例えば、食中毒や感染症の原因となるサルモネラ菌、ブドウ球菌、腸炎ビブリオ菌などが該当する。
【０１００】
図１２は、Ｘ線を照射することで、有害菌が死滅するイメージ図を示したものである。放射線は殺菌作用を有しており、この作用を利用して食品・医薬品などの滅菌広く実用されている。放射線殺菌の特徴は、有害な薬品を使用せず、熱を伴わず細部まで殺菌・滅菌可能であることなどである。これを応用し、食品に対しても、殺菌、保存、発芽防止などの目的で放射線照射が行われており、ジャガイモ、小麦、タマネギなど多くの食品の照射が実用化されている。また、寄生虫・害虫、微生物などの殺菌に放射線の照射が行われている。したがって、放射線の一種であるＸ線を、強度を調整して食品に照射することで、撮影を行いながら、一方では殺菌作用をももたらすことが可能である。
【０１０１】
＜実施形態７：具体例＞
【０１０２】
有害菌は、Ｏ−１５７菌又は、腐食菌である。Ｏ−１５７菌は、病原性大腸菌のうちのひとつであり、大腸菌の多くが無害なのに対し、Ｏ−１５７菌は発症すると腹痛や下痢、血便を伴い、死に至ることもある。腐敗菌は、食品を腐敗させる窒素を含む有機物を分解する細菌をいう。腐敗菌が、食品１ｇあたり１０００万個以上で腐敗した状態となる。冷蔵庫内での低温の状態でも腐敗菌は繁殖するため、Ｘ線が食品に照射されることで、Ｏ−１５７菌、腐食菌の殺菌を行い、利用者の安全を守ることができる。
【０１０３】
＜実施形態６、７：効果＞
【０１０４】
Ｘ線は、食品に対して照射することで、殺菌、除菌の効果を有し、寄生虫・害虫、微生物などを死滅させる働きがある。これによれば、有害な薬品や、熱を伴わないため、食品を痛めることなく、細部まで殺菌・滅菌可能である。また、撮影を行う際の副次的な要素を用いて有効にＸ線の活用ができる。一方、食中毒や、感染症等から利用者を守ることができ、有益である。
【０１０５】
【発明の効果】
以上、説明したように本発明の冷蔵庫によれば、庫内の収納物を撮影することで、利用者による入力作業なしに、収納物の在庫状況の管理が可能となる。また、Ｘ線により透過撮影を行う場合には、利用者の目が届きにくい、手前の収納物に遮られた奥の収納物も映し出すことができる。このとき収納物の種類だけでなく、映し出された映像からその残量なども把握することができ、便利である。
【０１０６】
また、収納物の出し入れをスムーズに行えるため、扉の開閉に伴う冷気の漏れを最小限にとどめることが可能になるという効果も有する。
【０１０７】
さらに、撮影時のＸ線の照射により、食品を痛めることなく、細部まで殺菌・滅菌可能であり、食中毒や、感染症等から利用者を守り、有益である。
【図面の簡単な説明】
【図１】実施形態１を説明するための概念図
【図２】実施形態１を説明するための機能ブロック図
【図３】実施形態１の処理の流れを説明する図
【図４】実施形態２を説明するための概念図
【図５】実施形態２を説明するための機能ブロック図
【図６】実施形態３を説明するための機能ブロック図
【図７】実施形態３の処理の流れを説明する図
【図８】実施形態４を説明するための機能ブロック図
【図９】実施形態４の処理の流れを説明する図
【図１０】実施形態５を説明するための機能ブロック図
【図１１】実施形態５の処理の流れを説明する図
【図１２】実施形態６を説明するための概念図
【符号の説明】
０５００    冷蔵庫
０５０１    Ｘ線撮影部
【図１】
2004286355.tif 000003
【図２】
2004286355.tif 000004
【図３】
2004286355.tif 000005
【図４】
2004286355.tif 000006
【図５】
2004286355.tif 000007
【図６】
2004286355.tif 000008
【図７】
2004286355.tif 000009
【図８】
2004286355.tif 000010
【図９】
2004286355.tif 000011
【図１０】
2004286355.tif 000012
【図１１】
2004286355.tif 000013
【図１２】
2004286355.tif 000014